(57)【要約】      （修正有）【課題】クレート内部に於いてペットの保温およびクレートの揺れに対してペットを底面部以外に側面部からも保護するクレート用クッションを提供する。【解決手段】中央部の長方形のクッションと縁部のクッションは縫い目で接合されており、折れ曲がることからクレートに装着した場合に略桝型に変形する。【選択図】図５
0003216838.tif 000002
【実用新案登録請求の範囲】
【請求項１】
縁が折れ曲がる形態から、クレートの内部に装着した場合に略枡型のペット保護用クッションとなる、クレート用クッション。
【請求項２】
中央部分と縁は縫目によって接合されており折れ曲がることから全体を平面に置いた状態では平面形状のクッションマットとなるクレート用クッション。
【請求項３】
平面部および底面部は長８角形状または変形５角形状で構成されていることを特徴とする請求項１または請求項２記載のクレート用クッション。
【考案の詳細な説明】
【技術分野】
【０００１】  本考案はペットのクレート用クッションに関する。
【背景技術】
【０００２】  現在使用されているクレート（キャリーとも言う）用のクッションは底面部の中敷きのみで側面部でペットを保護するものが無かった。
なお、本件に関連する先行技術文献情報に関しては、本願出願人の知り得る範囲において無い。
【考案の概要】
【考案が解決しようとする課題】
【０００３】  クレート内部に於いてペットの保温およびクレートの揺れに対してペットを底面部以外に側面部からも保護することを目的とする。【０００４】  平面クッションマットの形態からクレートの内部でペットを保護できるクレート用クッションの形態に変化して装着することができるペット用クッションを提供する。
【課題を解決するための手段】
【０００５】  長８角形状の平面および底面から、上記頂点に平行する縫目によって、中央のクッション材を含む長方形に隣接するクッション材を含む長方形および長方形に隣接するクッション材を含まない三角形を中央の長方形を底面にして、クレート内部で折りたたまれたとき略枡型に変形する、クレート用クッション。【０００６】  クッションの表面は布、ファー素材もしくは合皮を使用し、中央部の長方形とそれに隣接する長方形の部分の内部は綿もしくは発泡ウレタン、スポンジ素材入りで、保温効果とクッション性を確保することで、ペットが快適に寛ぐことができる。【０００７】  クッションはリバーシブルに使用できることから片面表面をファー素材の様な保温性の高いものを使用することで、寒い時期はこの面を上面とする場合、より保温効果を高めることが可能である。【０００８】  クレートの出入り口の柵に常時水飲みや餌箱を装着して使用する場合は、出入り口に部分に縁の無い、三隅の縁が折れ曲がる変形５角形状のクレート用クッションを提供することができる。
【考案の効果】
【０００９】  本物品は、クレート用クッションであって、四隅の縁が折れ曲がる形態からクレートの内部に装着した場合に略桝型となって、底面部と四隅の縁がペット保護用クッションとして作用する。平面部に置いたときは、平面状の形態でペット用クッションマットとして使用できる。
【図面の簡単な説明】
【００１０】
【図１】本考案のクレート用クッションの正面図である。背面図は正面図と同一に表われるので省略する。
【図２】本考案のクレート用クッションの左側面図である。右側面図は左側面図と同一に表われるので省略する。
【図３】本考案のクレート用クッションの平面図である。
【図４】本考案のクレート用クッションの底面図である。
【図５】本考案のクレート用クッションの参考斜視図である。
【図６】本考案のクレート用クッションをクレートに装着した参考図１である。
【図７】本考案のクレート用クッションをクレートに装着した参考図２である。
【図８】本考案のクレート用クッションの変形５角形状の参考図３である。
【図９】本考案のクレート用クッションの変形５角形状をクレートに装着した参考図４である。
【考案を実施するための形態】
【００１１】  以下、本考案の実施の形態を図に基づいて説明する。
【００１２】  本考案のクレート用クッションは図３に示すように平面状で、クッションの中央の長方形部が縁部と縫い目で接合されている。
【００１３】  図１〜図４に示すように端の３角形の部分は中にクッション材を含まないので薄く柔らかく、そのため縁を折れ曲げることを妨げない。
【００１４】  図４に示すようにクッションの表面片面をファー素材のようなものにすることにより、寒い時期にファー素材の面を上部にして使用する場合により保温効果を得られる。
【００１５】  本考案のクレート用クッションを平面に置いた状態では図５に示すようにペット用クッションマットとして使用できる。
【００１６】  図６および図７に示すように縁が折れ曲がることから略桝型の形態となって底面と側面のクッション部によってペットの保温およびクレートの移動時の揺れからペットを保護できる。
【００１７】  図８および図９に示す変形５角形状ではクレート柵部分にクッションが接触しないので柵に水飲みや餌箱を装着できる。
【００１８】  各図のクレート用クッションの布地柄は本考案のクレート用クッションを特定するので無く、形状が本実用新案登録出願のクレート用クッションとする。
【図１】
0003216838.tif 000003
【図２】
0003216838.tif 000004
【図３】
0003216838.tif 000005
【図４】
0003216838.tif 000006
【図５】
0003216838.tif 000007
【図６】
0003216838.tif 000008
【図７】
0003216838.tif 000009
【図８】
0003216838.tif 000010
【図９】
0003216838.tif 000011
【手続補正書】
【提出日】平成30年4月2日(2018.4.2)
【手続補正１】
【補正対象書類名】実用新案登録請求の範囲
【補正対象項目名】全文
【補正方法】変更
【補正の内容】
【実用新案登録請求の範囲】
【請求項１】
縁が折れ曲がる形態から、クレートの内部に装着した場合に略枡型のペット保護用クッションとなる、クレート用クッション。
【請求項２】
中央部分と縁は縫目によって接合されており折れ曲がることから全体を平面に置いた状態では平面形状のクッションマットとなるクレート用クッション。
【請求項３】
平面部および底面部は長８角形状または変形６角形状で構成されていることを特徴とする請求項１または請求項２記載のクレート用クッション。
【手続補正２】
【補正対象書類名】明細書
【補正対象項目名】全文
【補正方法】変更
【補正の内容】
【考案の詳細な説明】
【技術分野】
【０００１】  本考案はペットのクレート用クッションに関する。
【背景技術】
【０００２】  現在使用されているクレート（キャリーとも言う）用のクッションは底面部の中敷きのみで側面部でペットを保護するものが無かった。
なお、本件に関連する先行技術文献情報に関しては、本願出願人の知り得る範囲において無い。
【考案の概要】
【考案が解決しようとする課題】
【０００３】  クレート内部に於いてペットの保温およびクレートの揺れに対してペットを底面部以外に側面部からも保護することを目的とする。【０００４】  平面クッションマットの形態からクレートの内部でペットを保護できるクレート用クッションの形態に変化して装着することができるペット用クッションを提供する。
【課題を解決するための手段】
【０００５】  長８角形状の平面および底面から、上記頂点に平行する縫目によって、中央のクッション材を含む長方形に隣接するクッション材を含む長方形および長方形に隣接するクッション材を含まない三角形を中央の長方形を底面にして、クレート内部で折りたたまれたとき略枡型に変形する、クレート用クッション。【０００６】  クッションの表面は布、ファー素材もしくは合皮を使用し、中央部の長方形とそれに隣接する長方形の部分の内部は綿もしくは発泡ウレタン、スポンジ素材入りで、保温効果とクッション性を確保することで、ペットが快適に寛ぐことができる。【０００７】  クッションはリバーシブルに使用できることから片面表面をファー素材の様な保温性の高いものを使用することで、寒い時期はこの面を上面とする場合、より保温効果を高めることが可能である。【０００８】  クレートの出入り口の柵に常時水飲みや餌箱を装着して使用する場合は、出入り口部分に縁の無い、三隅の縁が折れ曲がる変形６角形状のクレート用クッションを提供することができる。
【考案の効果】
【０００９】  本物品は、クレート用クッションであって、四隅の縁が折れ曲がる形態からクレートの内部に装着した場合に略桝型となって、底面部と四隅の縁がペット保護用クッションとして作用する。平面部に置いたときは、平面状の形態でペット用クッションマットとして使用できる。
【図面の簡単な説明】
【００１０】
【図１】本考案のクレート用クッションの正面図である。背面図は正面図と同一に表われるので省略する。
【図２】本考案のクレート用クッションの左側面図である。右側面図は左側面図と同一に表われるので省略する。
【図３】本考案のクレート用クッションの平面図である。
【図４】本考案のクレート用クッションの底面図である。
【図５】本考案のクレート用クッションの参考斜視図である。
【図６】本考案のクレート用クッションをクレートに装着した参考図１である。
【図７】本考案のクレート用クッションをクレートに装着した参考図２である。
【図８】本考案のクレート用クッションの変形６角形状の参考図３である。
【図９】本考案のクレート用クッションの変形６角形状をクレートに装着した参考図４である。
【考案を実施するための形態】
【００１１】  以下、本考案の実施の形態を図に基づいて説明する。
【００１２】  本考案のクレート用クッションは図３に示すように平面状で、クッションの中央の長方形部が縁部と縫い目で接合されている。
【００１３】  図１〜図４に示すように端の３角形の部分は中にクッション材を含まないので薄く柔らかく、そのため縁を折れ曲げることを妨げない。
【００１４】  図４に示すようにクッションの表面片面をファー素材のようなものにすることにより、寒い時期にファー素材の面を上部にして使用する場合に、より保温効果を得られる。
【００１５】  本考案のクレート用クッションを平面に置いた状態では図５に示すようにペット用クッションマットとして使用できる。
【００１６】  図６および図７に示すように縁が折れ曲がることから略桝型の形態となって底面と側面のクッション部によってペットの保温およびクレートの移動時の揺れからペットを保護できる。
【００１７】  図８および図９に示す変形６角形状ではクレート柵部分にクッションが接触しないので柵に水飲みや餌箱を装着できる。
【００１８】  各図のクレート用クッションの布地柄は本考案のクレート用クッションを特定するので無く、形状が本実用新案登録出願のクレート用クッションとする。
【手続補正３】
【補正対象書類名】図面
【補正対象項目名】図８
【補正方法】変更
【補正の内容】
【図８】
0003216838.tif 000012
【手続補正４】
【補正対象書類名】図面
【補正対象項目名】図９
【補正方法】変更
【補正の内容】
【図９】
0003216838.tif 000013
0003216838.tif 000014